(57)【要約】【課題】細かい部分や凹部の底に堆積したホコリ・ゴミなどを強制的にエアーで吹き飛ばし、そのまま吸引排除することができる、既存掃除機の先端に取り付けるエアー吹き出しノズル付アダプターを提供する。【解決手段】本発明は掃除機の先端部に取り付ける樹脂製パイプ状基体（１）と、その外部に取り付ける、送風ファン（２）とそれを回転させる為のモーター（３）を収容するファンボックス（４）と、そこからチューブ（５）によりエアーを供給される前記基体の先端部中央に取り付けられたエアー吹き出しノズル（６）と、モーターを動かす為の電源ボックス（７）と手元スイッチ（８）より構成される。さらにエアーによるホコリなどの吹き飛ばしと吸引排除の最適バランス状態を作る為の調整機能として、樹脂製パイプ状基体（１）のパイプ先端部にスライドパイプ（９）を取り付け、それを前後することにより最適状態を作ることのできる構造を特徴とする。【選択図】  図１
2004344596.tif 000002
【特許請求の範囲】
【請求項１】
掃除機のパイプ先端部に取り付ける樹脂製パイプ状基体（１）と、前記パイプ状基体外部に取り付ける，送風ファン（２）とそれを回転させる為のモーター（３）を収容するファンボックス（４）と、そこからチューブ（５）によりエアーを供給される前記パイプ状基体の先端部中央に取り付けられたエアー吹き出しノズル（６）と、モーターを回転させる為の電源ボックス（７）と手元スイッチ（８）より構成される既存掃除機の先端パイプに取り付けることのできる掃除機用エアー吹き出しノズル付アダプター。
【請求項２】
前期パイプ状基体の先端にスライドパイプ（９）を取り付け、エアー吹き出しノズル（６）と前期パイプ状基体の先端の位置関係を調整し、エアー吹き出し・吸引排気のバランスを最適に調整可能とする請求項１記載の掃除機用エアー吹き出しノズル付アダプター。
【発明の詳細な説明】
【０００１】
【発明の属する技術分野】
本発明は掃除機用アダプターに関し、掃除機外部よりエアーを取り込み、そのエアーをエアー吹き出しノズル（６）より吹き出し、ホコリ・ゴミなどを強制的に吹き飛ばしながら、ほぼ同時に吸引排除することを特徴とする掃除機用エアー吹き出しノズル付アダプターである。
【０００２】
【従来の技術】
従来より、掃除機は掃除機内部の圧力を下げることにより、外部より空気を吸い込み、その空気と一緒にホコリ・ゴミなどを吸い込むものであった。最近の新しいタイプとして、排気循環式掃除機というものが販売されている。これは紙製ゴミパックやフィルターを通って汚れた排気を、出来るだけ掃除機の外部へ出さないようにする為、排気口より排気せず、掃除機・ホース・ノズル内で循環し、特にノズル部では循環空気を床などに叩きつけ、ホコリなどを浮かせて吸い取る方式である。
【０００３】
【発明が解決しようとする課題】
従来タイプの掃除機は吸引のみによりホコリ・ゴミなどを吸い取っていた。
新タイプの排気循環式掃除機は本来掃除機後部より出る排気をノズルから排出し、ホコリ・ゴミなどを浮かせながら吸引する方式であるが、排気されるエアーの量・勢いが弱く、十分ホコリ・ゴミを浮かすことができない。その為、それらの既存掃除機では細かい部分や凹部の底に堆積したホコリ・ゴミなどは吸引排除しにくかった。
【０００４】
本発明は、かかる従来技術の問題点を解決するものであり、しかも製造メーカーにこだわらず既存の掃除機に取り付けられる掃除機用エアー吹き出しノズル付アダプターを提供するものである。
【０００５】
【課題を解決するための手段】
本発明の掃除機用エアー吹き出しノズル付アダプターは、既存掃除機のパイプ先端部に取り付ける、樹脂製パイプ状基体（１）の先端部中央にエアー吹き出しノズル（６）が取り付けられている。また掃除機本体のモーターとは異なるモーター（３）とモーターにより回転する送風ファン（２）を収容するファンボックス（４）と、モーターを回転させる為の電源ボックス（７）と、モーターをＯＮ／ＯＦＦあるいは強弱コントロールする為の手元スイッチ（８）と、電源ボックスと手元スイッチをつなぐコード（１３）と、ファンボックスとノズルをつなぐチューブ（５）より構成される。電源としては、乾電池あるいは充電可能な２次電池または掃除機本体からとる方法がある。
【０００６】
本掃除機用エアー吹き出しノズル付アダプターを使った場合のホコリ・ゴミ吸引能力は、ノズルから吹き出すエアーの強さとパイプ内における吸引の強さのバランスで決まるので、最適なエアー吹き出し・ホコリ吸引の状態を作る為に、エアー吹き出しノズル先端とパイプ先端部の位置（距離）調整を、パイプ先端部に取り付けられた位置調整用スライドパイプ（９）で調整することができる。位置調整用スライドパイプとは、パイプ基体から出たり引っ込んだりスライドするものであり、これの調整でパイプ先端の位置を変えることができ、エアー吹き出し・ホコリ吸引の最適なバランス状態を作ることができる。
【０００７】
このアダプターの掃除機に取り付ける部分のパイプ外径は、一般掃除機の先端パイプ内径よりも僅かに小さい為、ほとんどの掃除機に取り付けられることを特徴としている。
【０００８】
【発明の実施の形態】
以下、本発明の実施の形態を説明する。
図−１は本発明の概要図である。本発明は既存掃除機のパイプ（１４）の先端部に取り付ける樹脂製パイプ状基体（１）と、前記基体外部に取り付ける送風ファン（２）とそれを回転させる為のモーター（３）を収容するファンボックス（４）と、そこからチューブ（５）を通してエアーを供給される前記パイプ状基体の先端部中央に取り付けられたエアー吹き出しノズル（６）と、モーターを回転させる為の電源ボックス（７）とＯＮ／ＯＦＦ−強弱調整用手元スイッチ（８）より構成される。
【０００９】
樹脂製パイプ状基体（１）の後部の外径は、既存の掃除機先端パイプ内径よりも僅かに小さく、どの既存の掃除機先端パイプにも差し込めるようになっている。
【００１０】
ファンボックス（４）より送り出されたエアーは、チューブ（５）を通ってエアー吹き出しノズル（６）の後方口より入り、先端が細くなったエアー吹き出しノズル（６）先端部よりホコリ・ゴミに向かって排出される。
【００１１】
ファンボックス（４）と手元スイッチ（８）は樹脂製パイプ状基体（１）に面ファスナー（１０）などで簡単に使い易い位置に取り付け・取り外すことができる。
【００１２】
エアー吹き出しノズル（６）は樹脂製パイプ状基体（１）の先端部中央に、吸引エアーが充分通り抜けることのできる空間を持った樹脂製のノズル固定枠（１１）にて取り付けられる。
【００１３】
エアーの流れ（Ａ）によるホコリ・ゴミの吹き飛ばし、及び吸引排除の最適状態は、吹き出しエアーの強さと掃除機の吸引排気能力のバランスに関わってくる。その調整機能として、樹脂製パイプ状基体（１）のパイプ先端部にスライドパイプ（９）を取り付け、それを前後することによりエアー吹き出しノズル（６）先端部とアダプターパイプ（スライドパイプ）先端部の位置を調整し、最適バランス状態を作ることのできる構造とする。
【００１４】
既存掃除機の先端に取り付けるアダプターなので、安価に製作でき、また構造も比較的簡単である為，製作し易い。
【００１５】
電源としては、乾電池あるいは充電可能な２次電池または掃除機本体からとる方法がある。
【００１６】
本発明は以上のような構造であり、これを使用する時は本アダプターを既存掃除機先端に取り付ける。使い方は通常の掃除機使用時と同様であるが、掃除機のスイッチはＯＮの吸引排気状態にしておき、ホコリ・ゴミなど除去したい場所で、本アダプターの手元スイッチを入れ、エアーノズルよりエアーを吹き出し、強制的にホコリ・ゴミを吹き飛ばし掃除機により吸引排除する。
【００１７】
なお、本発明は、上述の実施の形態の一例に限定されるものでなく、本発明の要旨を逸脱しない範囲であれば種々の変更は可能である。例えば後付けタイプのアダプターに限らず、本構造を掃除機本体に製造時に組み込んでも良い。また手元スイッチに掃除機本体のスイッチ機能を持たせても良い。
【００１８】
【発明の効果】
本発明の掃除機用エアー吹き出しノズル付アダプターによれば、床など（１２）の平坦面はもちろんのこと、本棚の本の上やパソコンの細かな部分あるいは凹部の底に堆積したホコリ・ゴミなどをエアーで強制的に吹き飛ばし、そのまま吸引排除することができる為、より清潔に、より衛生的に掃除することが可能となる。
【００１９】
また、排気循環式掃除機だと一度ホコリ・ゴミと一緒になった汚染された排気エアーを吹き付ける為、吸引されずに吸い込み口より漏れたエアーはその場所にあったホコリ・ゴミをさらに含み、より汚染されたものであり周囲の空気をより汚すことになる。本発明は、汚染されていないエアーを吹き付ける為、その分、排気循環式掃除機より衛生的である。
【００２０】
さらに排気循環式掃除機とは異なり、外部モーターを使ってエアーを供給し、先端の細くなったノズルより勢いの強いエアーを吹き付ける為、ホコリ・ゴミなどを吹き飛ばす力が強い。
【００２１】
本発明は、掃除機の機能とハタキの機能を併せ持つものである。しかしハタキでホコリ・ゴミを取る場合は、まず掃除したい場所をハタキで叩いてホコリ・ゴミを浮かさなければならず周囲にホコリ・ゴミを撒き散らすことになる。本発明は周囲にホコリ・ゴミを撒き散らすことなく、エアーで吹き飛ばしたホコリ・ゴミを即座に吸い取るので衛生的である。
【図面の簡単な説明】
【図１】本発明の１部透視斜視図
【図２】本発明の要部拡大図
【図３】本発明の先端部の断面図
【符号の説明】
１    樹脂製パイプ状基体
２    送風ファン
３    モーター
４    ファンボックス
５    チューブ
６    エアー吹き出しノズル
７    電源ボックス
８    手元スイッチ
９    スライドパイプ
１０  面ファスナー
１１  ノズル固定枠
１２  床など
１３  コード
１４  既存掃除機のパイプ
【図１】
2004344596.tif 000003
【図２】
2004344596.tif 000004
【図３】
2004344596.tif 000005